(57)【要約】【課題】濁水の放射能をゲルマニウム半導体分析装置などを用いて分析する際の前処理方法及び、前処理剤、並びに当該前処理に使用される前処理具を提案する。【解決手段】放射線量計測用容器内に収容されている濁水試料に対して粘性を与える前処理剤を添加、混合することにより前記濁水試料中の放射能を帯びた懸濁物質の沈降を防止し、前記放射線量計測用容器内に収容されている前記濁水試料についての放射線量計測時間中における前記濁水試料の均一性を保持すること放射線量計測対象の濁水試料についての前処理方法と、これに使用する前処理剤及び、前処理具。【選択図】図４
2014174134.tif 000002
【特許請求の範囲】
【請求項１】
放射線量計測用容器内に収容されている濁水試料に対して粘性を与える前処理剤を添加、混合することにより前記濁水試料中の放射能を帯びた懸濁物質の沈降を防止し、前記放射線量計測用容器内に収容されている前記濁水試料についての放射線量計測時間中における前記濁水試料の均一性を保持することを特徴とする放射線量計測対象の濁水試料についての前処理方法。
【請求項２】
放射線量計測用容器内に収容されている濁水試料に添加、混合されることにより、前記濁水試料中の放射能を帯びた懸濁物質の沈降を防止し、前記放射線量計測用容器内に収容されている前記濁水試料についての放射線量計測時間中における前記濁水試料の均一性を保持することに用いられる、前記濁水試料に対して粘性を与える前処理剤。
【請求項３】
開口している上部から放射線量計測対象の濁水試料が投入される円柱状の容器からなり、当該円柱状容器の底面中央部から上方に向かって突出する中央円柱部を備えていて、当該中央円柱部の径方向外側の周壁面と、前記円柱状容器の下方側の周壁内面との間に環状の凹部が形成されている放射線量計測用容器の内部に、前記円柱状容器の上部開口から下方に向かって挿入されて使用される回転撹拌具であって、
前記円柱状容器の上部開口から下方に向かって挿入された際に、前記円柱状容器の径方向における中心部に位置して、前記円柱状容器の上方から下方に向かって伸び、駆動力を与えられて当該上方から下方に向かって伸びる回転中心軸を中心として回転する回転軸と、
当該回転軸に関して対称的に当該回転軸から互いに径方向外方向に向かって伸びる支持腕の径方向外側端部にそれぞれ形成されていて、前記円柱状容器の上部開口から下方に向かって挿入された際に、前記円柱状容器の上方から下方に向かって延び、当該下方に向かって伸びる先端側が、前記環状の凹部に上方から下方に向かって突入する２枚の縦長撹拌板と、
前記円柱状容器の上部開口から下方に向かって挿入された際に、前記中央円柱部の上面より上方の位置で終端する前記回転軸の先端側で、前記回転軸に関して対称的に前記回転軸から互いに径方向外方向に向かって伸びる２枚の横長撹拌板と、
前記回転軸の前記２枚の横長撹拌板が配備されている箇所よりも先端側になる前記回転軸の終端から、更に、前記中央円柱部の上面の方向に向かって伸びる中央部縦長撹拌板と
を備えている、前記放射線量計測用容器内に収容されている濁水試料中の放射能を帯びた懸濁物質及び、前記濁水試料に粘性を付与すべく前記濁水試料に添加、混合される前処理剤を均一に分散する前処理具。
【発明の詳細な説明】
【技術分野】
【０００１】
本発明は濁水の放射能をゲルマニウム半導体分析装置（以下「Ｇｅ装置」という）、またはＮａＩスペクトロメータ（以下「ＮａＩ」という）により分析する際の前処理方法及び、前処理剤、並びに当該前処理に使用される前処理具に関する。
【背景技術】
【０００２】
平成２３年３月に発生した東京電力福島第一原子力発電所の事故により東日本の広域が放射能に汚染された。
【０００３】
事故当初に飛散・沈着した放射性物質(主に放射性セシウム)はその後の気象条件、または経済活動(人、車両等の移動)等により移動・拡散していると考えられる。
【０００４】
移動・拡散経路の一つである汚染地域からの流出河川には定常的に放射性物質が含まれると考えられる。特に、降雨時は汚染された土壌等が流出することから、河川中の放射性物質量も増大することになる。
【０００５】
汚染地域からの放射性物質(主に放射性セシウム)の移動・拡散は、事故当初非汚染地域であった場所に新たな問題を引き起こす可能性も危惧される。
【０００６】
よって汚染地域または汚染地域から流出する河川水中の放射性物質量は、放射性物質の移動・拡散を知る上で重要な情報である
降雨時において土壌の流出が増大した場合、河川は著しく濁りを呈することから、その濁水について放射能濃度の把握が必要である。
【０００７】
Ｇｅ装置、またはＮａＩ等を用いて放射能を分析する場合、通常数百秒〜数時間の計数時間が必要になる。
【０００８】
放射能分析においては計数時間中に試料の均一性が保持されなければならない。
【０００９】
濁水の直接分析を試みた場合、濁質が沈降するため試料の均一性確保が困難であり、何らかの処置が必要である。
【００１０】
濁水処置の方法としては、ろ過により濁質をろ紙上に捕捉し分析試料とする、または蒸発残留分として固形物試料を得る等の方法が考えられるが、それらの方法は作業工程が煩雑であり効率的とは言えない。
【００１１】
液体試料を分析する従来の方法は、２リットルマリネリ、Ｕ８等の専用容器に液体試料を直接充填して分析を行うのが一般的である。
【００１２】
食品の放射能基準値は放射性セシウム（１３４Ｃｓと１３７Ｃｓの合量）として１０Ｂｑ／ｋｇであることから、試料量が確保できる場合、２リットルマリネリ容器を用いることとなる。２リットルマリネリ容器を用いても、基準値に対して十分な検出限界値を得るためには１０００秒程度の計数時間が必要である。さらに低い濃度を定量するためには数千秒〜数時間の計数時間が必要となる。
【００１３】
放射能分析では容器内の試料は均一でなければならないが、上記の従来分析方法において濁水試料を分析した場合、計数時間中に濁質が沈降することにより試料の均一性が失われ、正当な評価が得られない。
【００１４】
これまで、原子力事故等により放出された放射能量を検出する方法などの提案がされたことはあるが（例えば、特許文献１）、２リットルマリネリ容器などの放射線量計測用容器を用い、当該容器内に収容されている濁水試料について、適切な放射線量計測を行うべく、１０００秒以上の所定の計数時間にわたって当該容器内の濁水試料の均一性を維持するための方策は従来提案されていなかった。
【先行技術文献】
【特許文献】
【００１５】
【特許文献１】特開２００２−２１４３４８号公報
【発明の概要】
【発明が解決しようとする課題】
【００１６】
この発明は、放射線量計測用容器を用い、当該容器内に収容されている濁水試料について、適切な放射線量計測を行うべく、１０００秒以上の所定の計数時間にわたって当該容器内の濁水試料の均一性を維持するための方策を提案することを目的にしている。
【００１７】
すなわち、本発明は、放射線量計測用容器を用い、当該容器内に収容されている濁水試料について放射線量計測を行うにあたり、放射線量計数時間中において濁水試料の均一性を保持する前処理方法及び前処理剤を提供することを目的にしている。
【００１８】
更に、本発明は、前処理工程において、前記放射線量計測用容器内に収容されている濁水試料中の濁質及び、前記濁水試料に粘性を付与すべく添加、混合される前処理剤を均一に分散する前処理具を提供することを目的にしている。
【課題を解決するための手段】
【００１９】
本発明は、放射線量計測対象の濁水試料に粘性を与えることにより、放射線量計数時間中において当該濁水試料中の放射能を帯びた懸濁物質が沈降することなく均一性を保持する前処理方法及び、これに使用する前処理剤と、前処理具により、簡便な濁水試料の放射能分析方法を提供するものである。
【００２０】
請求項1記載の発明は、
放射線量計測用容器内に収容されている濁水試料に対して粘性を与える前処理剤を添加、混合することにより前記濁水試料中の放射能を帯びた懸濁物質の沈降を防止し、前記放射線量計測用容器内に収容されている前記濁水試料についての放射線量計測時間中における前記濁水試料の均一性を保持することを特徴とする放射線量計測対象の濁水試料についての前処理方法
である。
【００２１】
請求項２記載の発明は、
放射線量計測用容器内に収容されている濁水試料に添加、混合されることにより、前記濁水試料中の放射能を帯びた懸濁物質の沈降を防止し、前記放射線量計測用容器内に収容されている前記濁水試料についての放射線量計測時間中における前記濁水試料の均一性を保持することに用いられる、前記濁水試料に対して粘性を与える前処理剤
である。
【００２２】
請求項３記載の発明は、
開口している上部から放射線量計測対象の濁水試料が投入される円柱状の容器からなり、当該円柱状容器の底面中央部から上方に向かって突出する中央円柱部を備えていて、当該中央円柱部の径方向外側の周壁面と、前記円柱状容器の下方側の周壁内面との間に環状の凹部が形成されている放射線量計測用容器の内部に、前記円柱状容器の上部開口から下方に向かって挿入されて使用される回転撹拌具であって、
前記円柱状容器の上部開口から下方に向かって挿入された際に、前記円柱状容器の径方向における中心部に位置して、前記円柱状容器の上方から下方に向かって伸び、駆動力を与えられて当該上方から下方に向かって伸びる回転中心軸を中心として回転する回転軸と、
当該回転軸に関して対称的に当該回転軸から互いに径方向外方向に向かって伸びる支持腕の径方向外側端部にそれぞれ形成されていて、前記円柱状容器の上部開口から下方に向かって挿入された際に、前記円柱状容器の上方から下方に向かって延び、当該下方に向かって伸びる先端側が、前記環状の凹部に上方から下方に向かって突入する２枚の縦長撹拌板と、
前記円柱状容器の上部開口から下方に向かって挿入された際に、前記中央円柱部の上面より上方の位置で終端する前記回転軸の先端側で、前記回転軸に関して対称的に前記回転軸から互いに径方向外方向に向かって伸びる２枚の横長撹拌板と、
前記回転軸の前記２枚の横長撹拌板が配備されている箇所よりも先端側になる前記回転軸の終端から、更に、前記中央円柱部の上面の方向に向かって伸びる中央部縦長撹拌板と
を備えている、前記放射線量計測用容器内に収容されている濁水試料中の放射能を帯びた懸濁物質及び、前記濁水試料に粘性を付与すべく前記濁水試料に添加、混合される前処理剤を均一に分散する前処理具
である。
【発明の効果】
【００２３】
この発明によれば、放射線量計測用容器を用い、当該容器内に収容されている濁水試料について、適切な放射線量計測を行うべく、１０００秒以上の所定の計数時間にわたって当該容器内の濁水試料の均一性を維持することができる。
【００２４】
本発明によれば、濁水試料に粘性を与えることにより、濁水試料中の放射能を帯びた懸濁物質成分の沈降を防止し、均一な濁水試料性状を保持した状態で放射能分析が可能となった。
【００２５】
また、放射線量計測用容器内に収容された濁水試料に粘性を付与する前処理剤を添加、混合する前処理の際に、本発明の前処理具を用いることにより、放射能を帯びた懸濁物質が均一に分散した状態で、前処理剤を容易に添加することができる。
【００２６】
本発明によれば、放射線量計測対象の濁水試料に粘性を与えることにより、放射線量計数時間中において当該濁水試料中の放射能を帯びた懸濁物質が沈降することなく均一性を保持する前処理方法及び、これに使用する前処理剤と、前処理具を提供することにより、簡便な濁水試料の放射能分析方法を提供することができる。
【図面の簡単な説明】
【００２７】
【図１】本発明が提案する前処理具の一例を表す一部を省略した正面図。
【図２】図１図示の本発明の前処理具の（ａ）平面図、（ｂ）左側面図、（Ｃ）底面図。
【図３】本発明が提案する前処理具が挿入されて使用される放射線量計測用容器の一例を表すであって、上部開口に蓋が装着されている状態の正面図。
【図４】図３図示の放射線量計測用容器の内部に放射線量計測対象の濁水試料と、本発明の前処理剤とが投入され、図１、図２図示の本発明の前処理具を用いて前処理が行われる状態を説明する一部を省略した正面図。
【発明を実施するための形態】
【００２８】
本発明が提案する、放射線量計測対象の濁水試料についての前処理方法は、放射線量計測用容器内に収容されている濁水試料に対して粘性を与える前処理剤を添加、混合することにより前記濁水試料中の放射能を帯びた懸濁物質（以下、「濁質」ということがある）の沈降を防止し、前記放射線量計測用容器内に収容されている前記濁水試料についての放射線量計測時間中における前記濁水試料の均一性を保持するものである。
【００２９】
そして、本発明が提案する、放射線量計測対象の濁水試料に対して粘性を与える前処理剤は、当該前処理方法に使用されるものであって、放射線量計測用容器内に収容されている濁水試料に添加、混合されることにより、前記濁水試料中の濁質の沈降を防止し、前記放射線量計測用容器内に収容されている前記濁水試料についての放射線量計測時間中における前記濁水試料の均一性を保持することに用いられるものである。
【００３０】
このような本発明によれば、放射線量計測対象の濁水試料に粘性を与え、当該濁水試料中の濁質の沈降を防ぎ、これによって、放射線量計数時間中において濁水試料の均一性を保持することができる。
【００３１】
前述した本発明の、放射線量計測対象の濁水試料に対して粘性を与える前処理剤としては、植物由来の多糖類を原料とした増粘剤や、アクリル酸重合体、等の高吸水性ポリマー、等を用いることができる。
【００３２】
前記の前処理剤は、放射線量計測対象の濁水試料の体積量（リットル）に対して、０．５〜１．０％の重量（ｇ）割合で添加することが望ましい。
【００３３】
本発明が提案する前処理具は、放射線量計測用容器内に収容されている濁水試料中の濁質及び、当該濁水試料に粘性を付与すべく当該濁水試料に添加、混合される前処理剤を均一に分散することに用いられるものである。
【００３４】
図１に一例が示されている本発明の前処理具１は、図３に一例が示されている、円柱状の容器１２からなる放射線量計測用容器１０の内部に、円柱状容器１２の上部開口から下方に向かって挿入されて使用される回転撹拌具である。
【００３５】
図３図示の放射線量計測用容器１０は、開口している上部から放射線量計測対象の濁水試料が投入される円柱状の容器１２である。この円柱状容器１２では、底面１４の中央部から上方に向かって中央円柱部１５が突出している。そして、中央円柱部１５の径方向外側の周壁面１５ｂと、円柱状容器１２の下方側の周壁内面１３ａとの間に環状の凹部１６、すなわち、上側から見た平面図の状態で環状の凹部１６が形成されている。
【００３６】
本発明の前処理具１は、回転軸２、２枚の縦長撹拌板４ａ、４ｂ、２枚の横長撹拌板５ａ、５ｂ、一枚の中央部縦長撹拌板７を備えている。
【００３７】
回転軸２は、図４図示のように、前処理具１が円柱状容器１２の上部開口から下方に向かって挿入された際に、円柱状容器１２の径方向における中心部に位置して、円柱状容器１２の上方から下方に向かって伸び、駆動力を与えられて上方から下方に向かって伸びる回転中心軸を中心として、矢印３０で示すように回転する。
【００３８】
２枚の縦長撹拌板４ａ、４ｂは、回転軸２に関して対称的に回転軸２から互いに径方向外方向に向かって伸びる支持腕３ａ、３ｂの径方向外側端部にそれぞれ形成されている（図１、図２）。
【００３９】
この２枚の縦長撹拌板４ａ、４ｂは、前処理具１が図４図示のように、円柱状容器１２の上部開口から下方に向かって挿入された際に、円柱状容器１２の上方から下方に向かって延び、当該下方に向かって伸びる先端側が、前記環状の凹部１６に上方から下方に向かって突入するようになっている。
【００４０】
２枚の横長撹拌板５ａ、５ｂは、図４図示のように、前処理具１が円柱状容器１２の上部開口から下方に向かって挿入された際に、円柱状容器１２の中央円柱部１５の上面１５ａより上方の位置で終端する回転軸２の先端側で、回転軸２に関して対称的に回転軸２から互いに径方向外方向に向かって伸びるものである。
【００４１】
一枚の中央部縦長撹拌板７は、図４図示のように、回転軸２の前記２枚の横長撹拌板５ａ、５ｂが配備されている箇所よりも先端側になる回転軸２の終端から、更に、円柱状容器１２の中央円柱部１５の上面１５ａの方向に向かって伸びるものである。
【００４２】
放射線量計測対象の濁水試料に対して、本発明が提案する上述した前処理剤を用いた本発明の前処理方法は、その工程を簡便に行うために、全工程を専用容器で作業できることが望ましい。
【００４３】
上述した、図３に一例が示されている、円柱状の容器１２からなる放射線量計測用容器１０は、液体試料の放射能をゲルマニウム半導体分析装置（Ｇｅ装置）によって計測する際に、主に、使用されるマリネリ容器（容量は、例えば、２リットル）であり、上述した前処理の全工程が行われる専用容器となる。
【００４４】
本発明が提案する放射線量計測対象の濁水試料についての前処理方法では放射線量計測用容器内に収容されている濁水試料に対して粘性を与える前処理剤を添加、混合する。これによって、当該濁水試料に粘性を与え、当該濁水試料中の濁質成分の沈降を防止し、均一な濁水試料性状を保持した状態で放射能分析を可能にするものである。
【００４５】
この際、濁水試料を攪拌し、濁水試料中の濁質や、濁水試料に添加、混合した前処理剤が、円柱状容器１２内に均一に分散した状態を維持しながら増粘することが望ましい。
【００４６】
ところが、図３に一例が示されているように、液体試料の放射能をゲルマニウム半導体分析装置（Ｇｅ装置）によって計測する際に、主に、使用されるマリネリ容器（容量は、例えば、２リットル）は、円柱状容器１２の底面１４中央部から上方に向かって突出する中央円柱部１５を備えており、形状、構造が複雑で、内部に収容した放射線量計測対象の液体試料中の濁質や、当該液体試料に添加、混合する前記前処理剤を均一に分散させることが容易ではない。
【００４７】
図１に一例が示されている本発明の前処理具１は、このような複雑な形状、構造のマリネリ容器（容量は、例えば、２リットル）の内部に、図４図示のように、円柱状容器１２の上部開口から下方に向かって挿入されて使用される回転撹拌具であり、これを用いることによって、円柱状容器１２の内部に収容された放射線量計測対象の液体試料中の濁質や、当該液体試料に添加、混合する前記前処理剤を均一に分散させることが可能になる。
【００４８】
図４図示のように、円柱状の容器１２からなる放射線量計測用容器１０（２リットルマリネリ容器）の蓋１１を取り外し、放射線量計測対象の濁水試料２０をその液面２０ａが図４図示の位置になるまで、円柱状の容器１２に収容し、本発明の前処理剤を添加した後、本発明の前処理具１を、円柱状容器１２の上部開口から下方に向かって挿入する。
【００４９】
本発明の前処理具１は上述し、図１、図２に図示した形状、構造になっているので、２枚の縦長撹拌板４ａ、４ｂの下方に向かって伸びる先端側が、円柱状の容器１２の環状の凹部１６に上方から下方に向かって突入する。
【００５０】
回転軸２が、不図示の駆動手段から駆動力を得て、矢印３０で示すように回転すると、２枚の縦長撹拌板４ａ、４ｂもそれらの先端側を円柱状の容器１２の環状の凹部１６に上方から下方に向けて突入させている状態で、円柱状の容器１２の周壁１３の内側面近傍で、矢印３０で示す周方向に回転する。
【００５１】
これによって、円柱状容器１２の内部に収容された放射線量計測対象の濁水試料２０中の濁質や、濁水試料２０に添加された前処理剤が濁水試料２０中に分散される。
【００５２】
一方、円柱状容器１２の中央円柱部１５の上面１５ａより上方においては、２枚の横長撹拌板５ａ、５ｂが、回転軸２と共に、矢印３０方向に回転する。
【００５３】
前述したように、先端を、円柱状の容器１２の環状の凹部１６に上方から下方に向けて突入させている２枚の縦長撹拌板４ａ、４ｂが、円柱状の容器１２の周壁１３の内側面近傍で矢印３０で示す周方向に回転することにより、円柱状容器１２内の径方向外側では流動が生じる。しかし、それだけでは、円柱状容器１２内の径方向内側（円柱状容器１２の中央円柱部１５の上面１５ａより上側）における十分な流動が生じない。
【００５４】
回転軸２０の回転に連れた２枚の横長撹拌板５ａ、５ｂの回転により、円柱状容器１２内の径方向内側（円柱状容器１２の中央円柱部１５の上面１５ａより上側）でも十分な流動を生じさせることができる。
【００５５】
これをより効果的にするため、２枚の横長撹拌板５ａ、５ｂは、図２（ｂ）図示のように、回転軸２を間に挟んで、互いに異なる傾斜角度で、回転軸２が延びる方向に対して傾斜して回転軸２に取り付けられていることが望ましい。
【００５６】
また、２枚の横長撹拌板５ａ、５ｂが、回転軸２が延びる方向に対して傾斜して回転軸２に取り付けられる傾斜角度は、回転軸２の回転に連れた２枚の横長撹拌板５ａ、５ｂの回転によって、円柱状容器１２内の径方向内側（円柱状容器１２の中央円柱部１５の上面１５ａより上側）において、円柱状容器１２の下側に向かう流動（円柱状容器１２の中央円柱部１５の上面１５ａに向かう流動）が生起される傾斜角度にしておくことが望ましい。
【００５７】
すなわち、図示の例でいえば、横長撹拌板５ａの上端面６ａが回転軸２が回転する方向に向かい、横長撹拌板５ａの下端面が回転軸２が回転する方向と逆方向に向かっているように横長撹拌板５ａが傾斜し、横長撹拌板５ｂの上端面が回転軸２が回転する方向に向かい、横長撹拌板５ｂの下端面６ｂが回転軸２が回転する方向と逆方向に向かっているように横長撹拌板５ｂが傾斜していることが望ましい。
【００５８】
図４図示のように、円柱状容器１２の上部開口から下方に向かって挿入されて使用される回転撹拌具である本発明の前処理具１は、回転軸２の２枚の横長撹拌板５ａ、５ｂが配備されている箇所よりも先端側になる回転軸２の終端から、更に、円柱状容器１２の中央円柱部１５の上面１５ａの方向に向かって伸びる一枚の中央部縦長撹拌板７、すなわち、突起状の中央部縦長撹拌板７を備えている。
【００５９】
これによって、回転軸２の回転に連れて、中央部縦長撹拌板７も回転するため、前処理具１が円柱状容器１２の上部開口から下方に向かって挿入された際に、円柱状容器１２の径方向における中心部に位置する回転軸２の直下における極狭い領域においても流動が生じ、無流速域を発生させないことができる。
【００６０】
本発明の前処理具１は、上述した径方向外側に備えられている２枚の横長撹拌板５ａ、５ｂに加えて、径方向の内側に、２枚の横長撹拌板５ａ、５ｂ、一枚の突起状の中央部縦長撹拌板７を備えている。そこで、円柱状容器１２内に収容された濁水試料２０の、円柱状容器１２内の径方向内側の領域においても十分な流動が生起され、濁水試料２０中の濁質が、円柱状容器１２の中央円柱部１５の上面１５ａの上に集積するおそれは無い。
【実施例１】
【００６１】
放射能濃度が既知である乾燥土壌を用いて、水１リットル中に当該土壌１０００ｍｇを含む模擬濁水を調製した。
【００６２】
土壌の放射能濃度はセシウム１３４（以下、「１３４Ｃｓ」と表す）：１３８００Ｂｑ／ｋｇ、セシウム１３７(以下、「１３７Ｃｓ」と表す)：２２０００Ｂｑ／ｋｇであることから、模擬濁水の設定放射能濃度は、１３４Ｃｓ:１３．８Ｂｑ／リットル、１３７Ｃｓ:２２．０Ｂｑ／リットルである。
【００６３】
調製した模擬濁水３検体（Ｎｏ.１〜Ｎｏ.３）を図４図示のように、円柱状の容器１２からなる放射線量計測用容器１０（２リットルマリネリ容器）に充填後、充分攪拌し、速やかにＧｅ装置[ＧＥＭ35−70（実測検出効率４０．４９％、分解能１．７６ ｋｅＶ）及びＧＥＭ２０−７０（実測権出効率２２．７％、分解能１．７７ ｋｅＶ）（セイコー・イージーアンドジー株式会社）、多重波高分析装置としてＭＣＡ ７６００（セイコー・イージーアンドジー株式会社）〕で、放射能を分析した（計数時間：１０００秒）。撹拌は、撹拌棒を模擬濁水中に挿入し、模擬濁水を撹拌して行った。
【００６４】
濁水の直接分析結果を表１に示す。
【表１】
2014174134.tif 000003
【００６５】
表1より、濁水を前処理なしに直接分析した場合、設定濃度に対して１１４％〜１３２％の結果であり、過大評価を与えていると言える。これは計数時間（１０００秒）中に濁質が沈降し、Ｇｅ装置検出部に濁質が接近したことによると考えられる。分析後の試料を観察すると、円柱状の容器１２からなる放射線量計測用容器１０（２リットルマリネリ容器）の底部に沈降した濁質が集積していた。
【００６６】
次に、表1の分析を行った３検体（Ｎｏ.１〜Ｎｏ.３）に対して本発明の前処理剤として増粘剤を１％（２リットルの模擬濁水に対して２０ｇ）添加した。
【００６７】
使用した増粘剤は、植物成分由来のキサンタンガムである。製品名等を以下に示す。  
製品名：イナゲルＶ−１０Ｋ
製造者：伊那食品工業株式会社
【００６８】
増粘剤の添加は、図４図示のように、試料が充填している円柱状の容器１２からなる放射線量計測用容器１０（２リットルマリネリ容器）に直接添加した。
【００６９】
添加操作の際は濁質及び添加する増粘剤を均一に分散するため、本発明の前処理具１を図４図示のように、円柱状の容器１２からなる放射線量計測用容器１０（２リットルマリネリ容器）の上部開口から下方向に向けて挿入し、当該前処理具１を、回転速度１５０ｒ／ｍｉｎで２分間にわたり回転させ、充分な攪拌を行った。
【００７０】
これにより、３検体の模擬濁水の粘度が上昇し、濁質の沈降がなくなり、それぞれの模擬濁水全体の濁質が均一に分散したことを確認した後、前記と同様に、Ｇｅ装置〔ＧＥＭ３５−７０(実測検出効率４０．４９％、分解能１．７６ ｋｅＶ)およびＧＥＭ２０−７０（実測検出効率２２．７％、分解能１．７７ ｋｅＶ）（セイコー・イージーアンドジー株式会社）、多重波高分析装置としてＭＣＡ ７６００（セイコー・イージーアンドジー株式会社）〕で、放射能を分析した（計数時間：１０００秒）。
【００７１】
この実施例では、円柱状の容器１２からなる放射線量計測用容器１０（２リットルマリネリ容器）において、増粘剤添加後の明らかな試料体積の変化は認められないことから、増粘剤添加による補正等は行わなかった。
【００７２】
増粘剤添加後の分析結果を表２に示す。
【表２】
2014174134.tif 000004
【００７３】
増粘処理を行った試料の分析結果は、設定濃度に対して９１％〜１００％の結果であり、正当な評価を与えた。
【実施例２】
【００７４】
増粘剤を変更して実施例１と同様の操作を行った。
【００７５】
濁水の直接分析結果を表３に示す。
【表３】
2014174134.tif 000005
【００７６】
濁水の直接分析をおこなった場合、設定濃度に対して１２２％〜１４５％の結果であり、過大評価を与えていると言える。この結果は実施例1と同様であった。
【００７７】
次に、実施例１と同様な手法により増粘剤を添加し分析を行った。増粘剤添加量は０．５％（２リットルの模擬濁水に対して１０ｇ）である。増粘剤は高吸水性ポリマーとして一般的なアクリル酸ポリマー使用した。製品名等を以下に示す。  
製品名：アクアキューブＳＡ６０ＦＰ
製造者：住友精化株式会社
【００７８】
上記増粘剤についても、増粘剤添加後の明らかな試料体積の変化は認められなかった。増粘剤添加後の分析結果を表４に示す。
【表４】
2014174134.tif 000006
【００７９】
増粘処理を行った試料の分析結果は、設定濃度に対して９６％〜１０６％の結果であり、極めて良好な結果であった。
【００８０】
なお以上の実施例は例示であって、本発明はこれに限定されるものではない。
【００８１】
例えば、前処理剤は上記実施例で使用した増粘剤に限定されず、濁質分の沈降・浮遊を抑え、試料の均一性を確保できればよい。
【００８２】
好適には、少量の添加量で十分な粘性が発現し試料の均一性が保持できるものであれば使用できる。
【００８３】
さらに好適には作業性の観点より、数十秒〜数分程度で粘度上昇が完了するものが望ましい。
【００８４】
また本実施例は作業効率性を鑑み、２リットルマリネリ容器に専用攪拌機を用いたが、増粘工程を別容器で行うことも可能である。
【産業上の利用可能性】
【００８５】
本発明によれば、放射能を帯びた懸濁物質が多く含まれる液体試料において、その懸濁物質が沈降、浮遊等の挙動により試料の均一性確保が困難な場合、試料液体の粘度を上昇させ、当該液体試料中の懸濁物質を固定した状態で均一に分散する方法を提供することができる。
【００８６】
本発明によれば、簡便かつ容易に濁水試料の放射能分析が可能であり、河川等の環境水、また今後の原発事故対策における重要施策である放射性廃棄物処理施設等における排水等の放射能分析に適用可能である。
【符号の説明】
【００８７】
１    前処理具
２    回転軸
３ａ、３ｂ  支持腕
４ａ、４ｂ  縦長撹拌板
５ａ、５ｂ  横長撹拌板
７    中央部縦長撹拌板
１０  放射線量計測用容器
１２  円柱状の容器
１３ａ  円柱状容器の下方側の周壁内面
１４  円柱状の容器の底面
１５  円柱状の容器の中央円柱部
１５ａ  円柱状容器の中央円柱部の上面
１５ｂ  中央円柱部の径方向外側の周壁面
１６  環状の凹部
３０  前処理具の回転方向
【図１】
2014174134.tif 000007
【図２】
2014174134.tif 000008
【図３】
2014174134.tif 000009
【図４】
2014174134.tif 000010